(57)【要約】【課題】無線通信チャンネルを通じて受信機にディスプレイパネルに対するビデオデータを送信するビデオ送信方法及びデータ送信機を提供する。【解決手段】本発明のビデオ送信方法は、送信機により、データソースからデータ信号を受信する段階と、受信機からのリターン信号を受信する段階と、チャンネル品質、ビデオ品質、コーデック要件、又はデータレート要件の一つ以上に基づいて、データ信号を受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する段階と、ディスプレイパネル上のディスプレイのために選択されたプロファイルに従ってデータ信号を受信機に送信する段階と、を有する。【選択図】図１
2018056993.tif 000002
【特許請求の範囲】
【請求項１】
無線通信チャンネルを通じて受信機と電子通信する送信機によりディスプレイパネルに対するビデオを送信する方法であって、
前記送信機により、
データソースからデータ信号を受信する段階と、
前記受信機からリターン信号を受信する段階と、
チャンネル品質、ビデオ品質、コーデック要件、又はデータレート要件の一つ以上に基づいて、前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する段階と、
前記ディスプレイパネル上のディスプレイのために前記選択されたプロファイルに従って前記データ信号を前記受信機に送信する段階と、を有することを特徴とするビデオ送信方法。
【請求項２】
前記送信機により受信されたデータ信号は、ビデオデータ信号であることを特徴とする請求項１に記載のビデオ送信方法。
【請求項３】
前記送信機により、前記リターン信号に基づいて前記複数のプロファイルの中から前記プロファイルを選択する段階を更に含み、
前記リターン信号は、前記受信機により測定された前記無線通信チャンネルの品質の識別子を含むことを特徴とする請求項１に記載のビデオ送信方法。
【請求項４】
前記送信機により、前記リターン信号に基づいて前記複数のプロファイルの中から前記プロファイルを選択する段階を更に含み、
前記リターン信号は、前記受信機により測定された視覚品質の識別子を含むことを特徴とする請求項１に記載のビデオ送信方法。
【請求項５】
前記送信機により、
前記リターン信号に基づいて前記受信機に対応する表示装置を識別する段階と、
前記受信機に対応する表示装置に基づいて前記プロファイルを選択する段階と、を更に含むことを特徴とする請求項１に記載のビデオ送信方法。
【請求項６】
前記複数のプロファイルは、第１〜第８プロファイルの中の一つ以上を含み、
前記第１プロファイルは、一群のピクセルの任意のピクセルからのピクセルデータが送信後に前記受信機で損失された場合、前記受信機が周辺ピクセルの値を平均化することで損失されたピクセルデータを再計算することができるように、チャンネル品質が第１臨界レベルを超える非圧縮ビデオデータを送信するためのパラメータを定義し、
前記第２プロファイルは、一群のピクセルの一つのピクセルからのピクセルデータが前記受信機に送信されず、前記受信機が周辺ピクセルの値を平均化することで前記一つのピクセルからのピクセルデータを再計算することができるように、チャンネル品質が前記第１臨界レベルよりも低いが第２臨界レベルよりも高い非圧縮ビデオデータを送信するためのパラメータを定義し、
前記第３プロファイルは、パケット内のピクセルの最下位ビットが前記受信機に送信されず、前記受信機が前記最下位ビットを補償することができるように、チャンネル品質が前記第１臨界レベル及び前記第２臨界レベルよりも低いが第３臨界レベルよりも高い非圧縮ビデオデータを送信するためのパラメータを定義し、
前記第４、第５、第６、及び第７プロファイルは、複数のデータレイヤを生成するレイヤ−基盤圧縮方法を用いて圧縮された圧縮ビデオデータを送信するためのパラメータを定義し、
前記複数のデータレイヤは、第１圧縮比を有する最高レイヤと、前記最高レイヤ及び任意の介在レイヤに追加される場合に前記第１圧縮比よりも低い第２圧縮比を有するデータを有する最低レイヤとを含み、
前記第４プロファイルにより、前記複数のデータレイヤの各々は前記受信機に送信され、
前記第５プロファイルにより、前記複数のデータレイヤのサブセットは前記受信機に送信され、
前記第６プロファイルにより、前記複数のデータレイヤの中の単一のデータレイヤは前記受信機に送信され、
前記第７プロファイルにより、前記複数のデータレイヤの一つ以上のデータレイヤの一部のみが前記受信機に送信され、
前記第８プロファイルは、前記ビデオデータをディスプレイするための表示装置に基づいて異なる優先順位レベルを有するビデオデータを送信するためのパラメータを定義することを特徴とする請求項１に記載のビデオ送信方法。
【請求項７】
前記送信機により、前記データ信号のヘッダパケット内のビット選択により前記選択されたプロファイルに関する情報を前記受信機に送信する段階を更に含むことを特徴とする請求項１に記載のビデオ送信方法。
【請求項８】
前記選択されたプロファイルに関する情報は、前記選択されたプロファイルに対応する圧縮解除、リバースレイヤリング、デコーディング、又は誤り訂正情報の一つ以上を含むことを特徴とする請求項７に記載のビデオ送信方法。
【請求項９】
無線通信チャンネルを通じて受信機にディスプレイパネルに対するデータを送信する送信機であって、
前記送信機は、
データソースからデータ信号を受信する手段と、
前記受信機からリターン信号を受信する手段と、
チャンネル品質、ビデオ品質、コーデック要件、又はデータレート要件の一つ以上に基づいて、前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する手段と、
前記ディスプレイパネル上のディスプレイのために前記選択されたプロファイルに従って前記データ信号を前記受信機に送信する手段と、を備えることを特徴とする送信機。
【請求項１０】
前記送信機により受信されたデータ信号は、ビデオデータ信号であることを特徴とする請求項９に記載の送信機。
【請求項１１】
前記送信機は、前記リターン信号に基づいて前記複数のプロファイルの中から前記プロファイルを選択する手段を更に含み、
前記リターン信号は、前記受信機により測定された前記無線通信チャンネルの品質の識別子を含むことを特徴とする請求項９に記載の送信機。
【請求項１２】
前記送信機は、
前記リターン信号に基づいて前記受信機に対応する表示装置を識別する手段と、
前記受信機に対応する表示装置に基づいて前記プロファイルを選択する手段と、を更に含むことを特徴とする請求項９に記載の送信機。
【請求項１３】
前記複数のプロファイルは、第１〜第８プロファイルの中の一つ以上を含み、
前記第１プロファイルは、一群のピクセルの任意のピクセルからのピクセルデータが送信後に前記受信機で損失された場合、前記受信機が周辺ピクセルの値を平均化することで損失されたピクセルデータを再計算することができるように、チャンネル品質が第１臨界レベルを超える非圧縮ビデオデータを送信するためのパラメータを定義し、
前記第２プロファイルは、一群のピクセルの一つのピクセルからのピクセルデータが前記受信機に送信されず、前記受信機が周辺ピクセルの値を平均化することで前記一つのピクセルからのピクセルデータを再計算することができるように、チャンネル品質が前記第１臨界レベルよりも低いが第２臨界レベルよりも高い非圧縮ビデオデータを送信するためのパラメータを定義し、
前記第３プロファイルは、パケット内のピクセルの最下位ビットが前記受信機に送信されず、前記受信機が前記最下位ビットを補償することができるように、チャンネル品質が前記第１臨界レベル及び前記第２臨界レベルよりも低いが第３臨界レベルよりも高い非圧縮ビデオデータを送信するためのパラメータを定義し、
前記第４、第５、第６、及び第７プロファイルは、複数のデータレイヤを生成するレイヤ−基盤圧縮方法を用いて圧縮された圧縮ビデオデータを送信するためのパラメータを定義し、
前記複数のデータレイヤは、第１圧縮比を有する最高レイヤと、前記最高レイヤ及び任意の介在レイヤに追加される場合に前記第１圧縮比よりも低い第２圧縮比を有するデータを有する最低レイヤとを含み
前記第４プロファイルにより、前記複数のデータレイヤの各々は前記受信機に送信され、
前記第５プロファイルにより、前記複数のデータレイヤのサブセットは前記受信機に送信され、
前記第６プロファイルにより、前記複数のデータレイヤの中の単一のデータレイヤは前記受信機に送信され、
前記第７プロファイルにより、前記複数のデータレイヤの一つ以上のデータレイヤの一部のみが前記受信機に送信され、
前記第８プロファイルは、前記ビデオデータをディスプレイするための表示装置に基づいて異なる優先順位レベルを有するビデオデータを送信するためのパラメータを定義することを特徴とする請求項９に記載の送信機。
【請求項１４】
前記送信機は、前記データ信号のヘッダパケット内のビット選択により前記選択されたプロファイルに関する情報を前記受信機に送信する手段を更に含み、
前記選択されたプロファイルに関する情報は、前記選択されたプロファイルに対応する圧縮解除、リバースレイヤリング、デコーディング、又は誤り訂正情報の一つ以上を含むことを特徴とする請求項９に記載の送信機。
【請求項１５】
無線通信チャンネルを通じて受信機と電子通信する送信機によりディスプレイパネルに対するビデオを送信する方法であって、
前記送信機により、
データソースからデータ信号を受信する段階と、
前記受信機からリターン信号を受信する段階と、
前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する段階と、
前記ディスプレイパネル上のディスプレイのために前記選択されたプロファイルに従って前記データ信号を前記受信機に送信する段階と、を有することを特徴とするビデオ送信方法。
【請求項１６】
チャンネル品質に基づいて前記プロファイルを選択する段階を更に含むことを特徴とする請求項１５に記載のビデオ送信方法。
【請求項１７】
前記受信機で測定されたビデオ品質に基づいて前記プロファイルを選択する段階を更に含むことを特徴とする請求項１５に記載のビデオ送信方法。
【請求項１８】
コーデック要件に基づいて前記プロファイルを選択する段階を更に含むことを特徴とする請求項１５に記載のビデオ送信方法。
【請求項１９】
データレート要件に基づいて前記プロファイルを選択する段階を更に含むことを特徴とする請求項１５に記載のビデオ送信方法。
【請求項２０】
前記送信機により、
前記リターン信号に基づいて前記受信機に対応する表示装置を識別する段階と、
前記受信機に対応する表示装置に基づいて前記プロファイルを選択する段階と、を更に含むことを特徴とする請求項１５に記載のビデオ送信方法。
【請求項２１】
前記送信機により、
前記受信機からのリターン信号をモニタリングする段階と、
チャンネル品質又はビデオ品質の一つ以上の変化に基づいて後続送信のための他のプロファイルを選択する段階と、を更に含むことを特徴とする請求項１５に記載のビデオ送信方法。
【発明の詳細な説明】
【技術分野】
【０００１】
本発明は、電子データ通信システム及び方法に関し、より詳細には、無線通信チャンネルを通じて受信機にディスプレイパネルに対するビデオデータを送信する方法及びデータ送信機に関する。
【背景技術】
【０００２】
本発明は、２０１６年９月２６日に米国特許庁に出願され、発明の名称が「Ａ  ＳＹＳＴＥＭ  ＡＮＤ  ＭＥＴＨＯＤ  ＦＯＲ  ＣＲＯＳＳ  ＬＡＹＥＲ  ＩＭＡＧＥ  ＯＰＴＩＭＩＺＡＴＩＯＮ（ＣＬＩＯ）  ＦＯＲ  ＷＩＲＥＬＥＳＳ  ＶＩＤＥＯ  ＴＲＡＮＳＭＩＳＳＩＯＮ  ＯＶＥＲ  ＭＵＬＴＩ−ＧＩＧＡＢＩＴ  ＣＨＡＮＮＥＬＳ」である米国仮特許出願番号第６２／４００，０４２号を優先権として主張し、この文書の全体内容は引用により本明細書に含まれる。本発明は追加的に、「Ｓｙｓｔｅｍ  ａｎｄ  Ｍｅｔｈｏｄ  ｆｏｒ  Ｅｌｅｃｔｒｏｎｉｃ  Ｄａｔａ  Ｃｏｍｍｕｎｉｃａｔｉｏｎ」という名称の米国特許出願及び「Ｓｙｓｔｅｍ  ａｎｄ  Ｍｅｔｈｏｄ  ｆｏｒ  Ｅｌｅｃｔｒｏｎｉｃ  Ｄａｔａ  Ｃｏｍｍｕｎｉｃａｔｉｏｎ」という名称の米国特許出願に関連しており、この両出願の全体内容は引用により本明細書に含まれる。
【０００３】
無線を通じたビデオ送信に対する要求は新たなアプリケーション及び利用事例の出現により増加している。高解像度ディスプレイスクリーンの技術的進歩及び高品質ビデオ（ＨＤ、ＦＨＤ、ＵＨＤなど）の出現は、最近数年間の高スループット送信に対する帯域幅の要件を増加させた。例えば、非圧縮（ｕｎｃｏｍｐｒｅｓｓｅｄ）ＵＨＤ（Ｕｌｔｒａ  Ｈｉｇｈ  Ｄｅｆｉｎｉｔｉｏｎ）ビデオは１２Ｇｂｐｓの帯域幅を要求する。
【０００４】
高いデータレートの制約以外にも、無線ビデオ送信は時間／遅延にも敏感である。秒当たり６０フレームを提供する場合、フレーム間の時間（ｉｎｔｅｒ−ｆｒａｍｅ  ｔｉｍｅ）は１／６０秒＝１６．６ｍｓである。従って、１６．６ｍｓ内に受信されないフレームの任意の部分はディスプレイが次のフレームのレンダリングを始めることができるように脱落（ｄｒｏｐ）させなければならず、データ再送信は通常実行可能なオプションでない。高い帯域幅及びレイテンシ要件以外にも、無線チャンネルは干渉を受けやすく、これは無線チャンネルの品質が時間の経過により予測不可能に変動するおそれがある。従って、無線チャンネルを通じて高品質のビデオデータを伝送するために保証されたサービス品質（ＱｏＳ）を提供することが難しくなる。
【０００５】
この背景セクションで説明した上記情報は、単に説明した技術の背景に対する理解を高めるためのものに過ぎず、そのため、それは当業者に既に知られた従来の技術を構成しない情報を含み得る。
【発明の概要】
【発明が解決しようとする課題】
【０００６】
本発明は、上記従来の問題点に鑑みてなされたものであって、本発明の目的は、無線通信チャンネルを通じて受信機にディスプレイパネルに対するビデオデータを送信する方法及びデータ送信機を提供することにある。
【課題を解決するための手段】
【０００７】
上記目的を達成するためになされた本発明の一態様によるビデオ送信方法は、無線通信チャンネルを通じて受信機と電子通信する送信機によりディスプレイパネルに対するビデオを送信する方法であって、前記送信機により、データソースからデータ信号を受信する段階と、前記受信機からリターン信号（ｒｅｔｕｒｎ  ｓｉｇｎａｌ）を受信する段階と、チャンネル品質、ビデオ品質、コーデック要件、又はデータレート要件の一つ以上に基づいて、前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する段階と、前記ディスプレイパネル上のディスプレイのために前記選択されたプロファイルに従って前記データ信号を前記受信機に送信する段階と、を有する。
【０００８】
前記送信機により受信されたデータ信号は、ビデオデータ信号であり得る。
前記ビデオ送信方法は、前記送信機により、前記リターン信号に基づいて前記複数のプロファイルの中から前記プロファイルを選択する段階を更に含み、前記リターン信号は、前記受信機により測定された前記無線通信チャンネルの品質の識別子を含み得る。
前記ビデオ送信方法は、前記送信機により、前記リターン信号に基づいて前記複数のプロファイルの中から前記プロファイルを選択する段階を更に含み、前記リターン信号は、前記受信機により測定された視覚品質の識別子を含み得る。
前記ビデオ送信方法は、前記送信機により、前記リターン信号に基づいて前記受信機に対応する表示装置を識別する段階と、前記受信機に対応する表示装置に基づいて前記プロファイルを選択する段階と、を更に含み得る。
前記複数のプロファイルは、第１〜第８プロファイルの中の一つ以上を含み、前記第１プロファイルは、一群のピクセルの任意のピクセルからのピクセルデータが送信後に前記受信機で損失された場合、前記受信機が周辺ピクセルの値を平均化することで損失されたピクセルデータを再計算することができるように、チャンネル品質が第１臨界レベルを超える非圧縮ビデオデータを送信するためのパラメータを定義し、前記第２プロファイルは、一群のピクセルの一つのピクセルからのピクセルデータが前記受信機に送信されず、前記受信機が周辺ピクセルの値を平均化することで前記一つのピクセルからのピクセルデータを再計算することができるように、チャンネル品質が前記第１臨界レベルよりも低いが第２臨界レベルよりも高い非圧縮ビデオデータを送信するためのパラメータを定義し、前記第３プロファイルは、パケット内のピクセルの最下位ビットが前記受信機に送信されず、前記受信機が前記最下位ビットを補償することができるように、チャンネル品質が前記第１臨界レベル及び前記第２臨界レベルよりも低いが第３臨界レベルよりも高い非圧縮ビデオデータを送信するためのパラメータを定義し、前記第４、第５、第６、及び第７プロファイルは、複数のデータレイヤを生成するレイヤ−基盤圧縮方法を用いて圧縮された圧縮ビデオデータを送信するためのパラメータを定義し、前記複数のデータレイヤは、第１圧縮比を有する最高レイヤ（ｈｉｇｈｅｓｔ  ｌａｙｅｒ）と、前記最高レイヤ及び任意の介在レイヤに追加される場合に前記第１圧縮比よりも低い第２圧縮比を有するデータを有する最低レイヤと、を含み、前記第４プロファイルにより、前記複数のデータレイヤの各々は前記受信機に送信され、前記第５プロファイルにより、前記複数のデータレイヤのサブセットは前記受信機に送信され、前記第６プロファイルにより、前記複数のデータレイヤの中の単一のデータレイヤは前記受信機に送信され、前記第７プロファイルにより、前記複数のデータレイヤの一つ以上のデータレイヤの一部のみが前記受信機に送信され、前記第８プロファイルは、前記ビデオデータをディスプレイするための表示装置に基づいて異なる優先順位レベルを有するビデオデータを送信するためのパラメータを定義し得る。
前記ビデオ送信方法は、前記送信機により、前記データ信号のヘッダパケット内のビット選択により前記選択されたプロファイルに関する情報を前記受信機に送信する段階を更に含み得る。
前記選択されたプロファイルに関する情報は、前記選択されたプロファイルに対応する圧縮解除、リバースレイヤリング（ｒｅｖｅｒｓｅ  ｌａｙｅｒｉｎｇ）、デコーディング、又は誤り訂正情報の一つ以上を含み得る。
【０００９】
上記目的を達成するためになされた本発明の一態様による送信機は、無線通信チャンネルを通じて受信機にディスプレイパネルに対するデータを送信する送信機であって、前記送信機は、データソースからデータ信号を受信する手段と、前記受信機からリターン信号を受信する手段と、チャンネル品質、ビデオ品質、コーデック要件、又はデータレート要件の一つ以上に基づいて、前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する手段と、前記ディスプレイパネル上のディスプレイのために前記選択されたプロファイルに従ってデータ信号を前記受信機に送信する手段と、を備える。
【００１０】
前記送信機により受信されたデータ信号は、ビデオデータ信号であり得る。
前記送信機は、前記リターン信号に基づいて前記複数のプロファイルの中から前記プロファイルを選択する手段を更に含み、前記リターン信号は、前記受信機により測定された前記無線通信チャンネルの品質の識別子を含み得る。
前記送信機は、前記リターン信号に基づいて前記受信機に対応する表示装置を識別する手段と、前記受信機に対応する表示装置に基づいてプロファイルを選択する手段と、を更に含み得る。
前記複数のプロファイルは、第１〜第８プロファイルの中の一つ以上を含み、前記第１プロファイルは、一群のピクセルの任意のピクセルからのピクセルデータが送信後に前記受信機で損失された場合、前記受信機が周辺ピクセルの値を平均化することで損失されたピクセルデータを再計算することができるように、チャンネル品質が第１臨界レベルを超える非圧縮ビデオデータを送信するためのパラメータを定義し、前記第２プロファイルは、一群のピクセルの一つのピクセルからのピクセルデータが前記受信機に送信されず、前記受信機が周辺ピクセルの値を平均化することで前記一つのピクセルからのピクセルデータを再計算することができるように、チャンネル品質が前記第１臨界レベルよりも低いが第２臨界レベルよりも高い非圧縮ビデオデータを送信するためのパラメータを定義し、前記第３プロファイルは、パケット内のピクセルの最下位ビットが前記受信機に送信されず、前記受信機が前記最下位ビットを補償することができるように、チャンネル品質が前記第１臨界レベル及び前記第２臨界レベルよりも低いが第３臨界レベルよりも高い非圧縮ビデオデータを送信するためのパラメータを定義し、前記第４、第５、第６、及び第７プロファイルは、複数のデータレイヤを生成するレイヤ−基盤圧縮方法を用いて圧縮された圧縮ビデオデータを送信するためのパラメータを定義し、前記複数のデータレイヤは、第１圧縮比を有する最高レイヤ（ｈｉｇｈｅｓｔ  ｌａｙｅｒ）と、前記最高レイヤ及び任意の介在レイヤに追加される場合に前記第１圧縮比よりも低い第２圧縮比を有するデータを有する最低レイヤと、を含み、前記第４プロファイルにより、前記複数のデータレイヤの各々は前記受信機に送信され、前記第５プロファイルにより、前記複数のデータレイヤのサブセットは前記受信機に送信され、前記第６プロファイルにより、前記複数のデータレイヤの中の単一のデータレイヤは前記受信機に送信され、前記第７プロファイルにより、前記複数のデータレイヤの一つ以上のデータレイヤの一部のみが前記受信機に送信され、前記第８プロファイルは、前記ビデオデータをディスプレイするための表示装置に基づいて異なる優先順位レベルを有するビデオデータを送信するためのパラメータを定義し得る。
前記送信機は、前記データ信号のヘッダパケット内のビット選択により前記選択されたプロファイルに関する情報を前記受信機に送信する手段を更に含み、前記選択されたプロファイルに関する情報は、前記選択されたプロファイルに対応する圧縮解除、リバースレイヤリング、デコーディング、又は誤り訂正情報の一つ以上を含み得る。
【００１１】
上記目的を達成するためになされた本発明の他の態様によるビデオ送信方法は、無線通信チャンネルを通じて受信機と電子通信する送信機によりディスプレイパネルに対するビデオを送信する方法であって、前記送信機により、データソースからデータ信号を受信する段階と、前記受信機からリターン信号を受信する段階と、前記データ信号を前記受信機に送信するための一つ以上のパラメータを各々含み、非圧縮ビデオデータの送信に対応する一つ以上のプロファイル及び圧縮ビデオデータの送信に対応する一つ以上のプロファイルを含む複数のプロファイルの中から一つのプロファイルを選択する段階と、前記ディスプレイパネル上のディスプレイのために前記選択されたプロファイルに従って前記データ信号を前記受信機に送信する段階と、を有する。
【００１２】
前記ビデオ送信方法は、チャンネル品質に基づいて前記プロファイルを選択する段階を更に含み得る。
前記ビデオ送信方法は、前記受信機で測定されたビデオ品質に基づいてプロファイルを選択する段階を更に含み得る。
前記ビデオ送信方法は、コーデック要件に基づいてプロファイルを選択する段階を更に含み得る。
前記ビデオ送信方法は、データレート要件に基づいてプロファイルを選択する段階を更に含み得る。
前記ビデオ送信方法は、前記送信機により、前記リターン信号に基づいて前記受信機に対応する表示装置を識別する段階と、前記受信機に対応する表示装置に基づいて前記プロファイルを選択する段階と、を更に含み得る。
前記ビデオ送信方法は、前記送信機により、前記受信機からのリターン信号をモニタリングする段階と、チャンネル品質又はビデオ品質の一つ以上の変化に基づいて後続送信のための他のプロファイルを選択する段階と、を更に含み得る。
【００１３】
一実施形態によるビデオ送信方法は、無線通信チャンネルを通じて受信機と電子通信する送信機によりディスプレイパネルに対するビデオを送信する方法であって、前記送信機により、データソースからビデオデータのフレームを受信する段階と、前記ビデオデータのフレームに対応するビットを複数の重要度レベルにそれぞれ対応する複数のグループにグループ化する段階と、前記複数のグループの中の一番目になるように配列され、最高重要度レベルを有する複数のパケットヘッダに対応するグループを有する再構成されたデータフレームを生成するために重要度順にグループを再構成する段階と、各パケットヘッダに対応するデータビットの長さを示す値を前記各パケットヘッダの前に挿入する段階と、前記複数のグループの中の各々のグループが対応する重要度レベルに基づく異なる保護技術により送信されるように、ディスプレイパネル上のディスプレイのために前記ビデオデータのフレームに対応するビットを前記受信機に送信する段階と、を有する。
【００１４】
前記各々のグループは、対応する重要度レベルに基づいて異なる変調及びコーディング方式（ＭＣＳ）値を有する。
前記各々のグループは、対応する重要度レベルに基づいて異なる順方向誤り訂正コーディングレートを有する。
前記ビデオ送信方法は、前記受信機のデコーダーがビデオデータのフレームを再構成する段階を更に含む。
前記ビデオデータのフレームを再構成する段階は、前記各パケットヘッダを元の相対的位置に移動させる段階を含む。
前記ビデオデータのフレームを再構成する段階は、前記データビットの長さを示す値を除去する段階を含む。
前記ビデオ送信方法は、前記送信機により、前記受信機からのリターン信号をモニタリングする段階と、後続送信のための異なる保護技術を調整する段階を更に含む。
前記ビデオ送信方法は、前記送信機により、前記受信機に対応する表示装置のタイプにより異なる保護技術を選択する段階を更に含む。
【００１５】
一実施形態による送信機は、無線通信チャンネルを通じて受信機にディスプレイパネルに対するデータを送信する送信機であって、前記送信機は、データソースからビデオデータのフレームを受信する手段と、前記ビデオデータのフレームに対応するビットを複数の重要度レベルにそれぞれ対応する複数のグループにグループ化する手段と、前記複数のグループの中の一番目になるように配列され、最高重要度レベルを有する複数のパケットヘッダに対応するグループを有する再構成されたデータフレームを生成するために重要度順にグループを再構成する手段と、各パケットヘッダに対応するデータビットの長さを示す値を前記各パケットヘッダの前に挿入する手段と、前記複数のグループの中の各々のグループが対応する重要度レベルに基づく異なる保護技術により送信されるように、ディスプレイパネル上のディスプレイのために前記ビデオデータのフレームに対応するビットを前記受信機に送信する手段と、を備える。
【００１６】
前記各々のグループは、対応する重要度レベルに基づいて異なる変調及びコーディング方式（ＭＣＳ）値を有する。
前記各々のグループは、対応する重要度レベルに基づいて異なる順方向誤り訂正コーディングレートを有する。
前記送信機は、前記受信機のデコーダーが前記各パケットヘッダを元の相対的位置に移動させることによって前記ビデオデータのフレームを再構成する手段を更に含む。
前記送信機は、前記受信機からのリターン信号をモニタリングする手段と、後続送信のために異なる保護技術を調整する手段と、を更に含む。
【００１７】
他の実施形態によるビデオ送信方法は、無線通信チャンネルを通じて受信機と電子通信する送信機によりディスプレイパネルに対するビデオを送信する方法であって、前記送信機により、データソースからビデオデータのフレームを受信する段階と、前記ビデオデータのフレームに対応するビットを複数の重要度レベルにそれぞれ対応する複数のグループにグループ化する段階と、前記複数のグループの中の一番目になるように配列され、最高重要度レベルを有する複数のパケットヘッダに対応するグループを有する再構成されたデータフレームを生成するために重要度順にグループを再構成する段階と、前記複数のグループの中の各々のグループが対応する重要度レベルに基づく異なる保護技術により送信されるように、ディスプレイパネル上のディスプレイのために前記ビデオデータのフレームに対応するビットを前記受信機に送信する段階と、有する。
【００１８】
前記ビデオ送信方法は、前記送信機により、各パケットヘッダに対応するデータビットの長さを示す値を前記各パケットヘッダの前に挿入する段階を更に含む。
前記各々のグループは、対応する重要度レベルに基づいて異なる変調及びコーディング方式（ＭＣＳ）値を有する。
前記各々のグループは、対応する重要度レベルに基づいて異なる順方向誤り訂正コーディングレートを有する。
前記ビデオ送信方法は、前記受信機のデコーダーがビデオデータのフレームを再構成する段階を更に含む。
前記ビデオ送信方法は、前記送信機により、前記受信機からのリターン信号をモニタリングする段階と、チャンネル品質又はビデオ品質の一つ以上の変化に基づいて後続送信のための異なる保護技術を調整する段階と、を更に含む。
前記ビデオ送信方法は、前記送信機により、前記受信機に対応する表示装置のタイプによりイメージの異なる領域に対応するデータに対して異なる保護技術を選択する段階を更に含む。
【００１９】
更に他の実施形態によるビデオ送信方法は、無線通信チャンネルを通じて受信機と電子通信する送信機によりディスプレイパネルに対するビデオを送信する方法であって、前記送信機により、データソースからビデオデータのフレームを受信する段階と、前記ビデオデータのフレームのビットの重要度レベルにより前記ビデオデータのフレームを複数のパケットで再構成する段階と、各パケットの異なる相対的重要度レベルに対応し、前記各パケットに対応するタグを生成する段階と、前記各パケットに対応するタグに基づいて前記各パケットに対して異なる保護技術を遂行する段階と、前記各パケットが対応するタグに基づいて異なる保護技術により送信されるように、ディスプレイパネル上のディスプレイのためにパケット及びタグを前記受信機に送信する段階と、を有する。
【００２０】
前記各パケットのタグは、パケットの相対的重要度レベルを示すビットパターンがパケットのヘッダに追加される。
前記各パケットのタグは、対応する重要度レベルに基づく変調及びコーディング方式（ＭＣＳ）値に対応する。
より重要なパケットは、少し重要なパケットよりも低いＭＣＳ値を有する。
前記各パケットのタグは、対応する重要度レベルに基づく順方向誤り訂正コーディングレートに対応する。
前記ビデオ送信方法は、前記送信機により、複数のアグリゲーティングされたＭＡＣプロトコルデータユニット（Ａ−ＭＰＤＵ）サブフレームでパケットをパッキングする段階と、前記Ａ−ＭＰＤＵサブフレームを前記受信機に送信する段階と、を更に含む。
前記ビデオ送信方法は、前記送信機により、複数の物理レイヤ収束手続（ＰＬＣＰ）プロトコルデータユニット（ＰＰＤＵ）フレームを同一のタグでタギングする段階と、同一の重要度レベルを有するＡ−ＭＰＤＵサブフレームをＰＰＤＵフレームでパッキングする段階と、前記ＰＰＤＵフレームを前記受信機に送信する段階と、を更に含む。
前記ビデオ送信方法は、前記送信機により、前記受信機に対応する表示装置のタイプにより前記ビデオデータのフレームのイメージの異なる領域に対して異なる保護技術を選択する段階を更に含む。
【００２１】
他の実施例による送信機は、無線通信チャンネルを通じて受信機にディスプレイパネルに対するデータを送信する送信機であって、前記送信機は、データソースからビデオデータのフレームを受信する手段と、前記ビデオデータのフレームのビットの重要度レベルにより前記ビデオデータのフレームを複数のパケットで再構成する手段と、各パケットの異なる相対的重要度レベルに対応し、前記各パケットに対応するタグを生成する手段と、前記各パケットに対応するタグに基づいて前記各パケットに対して異なる保護技術を遂行する手段と、前記各パケットが対応するタグに基づいて異なる保護技術により送信されるように、ディスプレイパネル上のディスプレイのためにパケット及びタグを受信機に送信する手段と、を備える。
【００２２】
前記各パケットのタグは、パケットの相対的重要度レベルを示すビットパターンがパケットのヘッダに追加される。
前記各パケットのタグは、対応する重要度レベルに基づく変調及びコーディング方式（ＭＣＳ）値に対応する。
前記各パケットのタは、対応する重要度レベルに基づく順方向誤り訂正コーディングレートに対応する。
前記送信機は、複数のアグリゲーティングされたＭＡＣプロトコルデータユニット（Ａ−ＭＰＤＵ）サブフレームでパケットをパッキングする手段と、前記Ａ−ＭＰＤＵサブフレームを受信機に送信する手段と、を更に含む。
前記送信機は、複数の物理レイヤ収束手続（ＰＬＣＰ）プロトコルデータユニット（ＰＰＤＵ）フレームを同一のタグでタギングする手段と、同一の重要度レベルを有するＡ−ＭＰＤＵサブフレームをＰＰＤＵフレームでパッキングする手段と、前記ＰＰＤＵフレームを前記受信機に送信する手段と、を更に含む。
【００２３】
また更に他の実施形態によるビデオ送信方法は、無線通信チャンネルを通じて受信機と電子通信する送信機によりディスプレイパネルに対するビデオを送信する方法であって、前記送信機により、データソースからビデオデータのフレームを受信する段階と、前記ビデオデータのフレームのビットの重要度レベルにより前記ビデオデータのフレームを複数のパケットで再構成する段階と、各パケットの異なる相対的重要度レベルに対応し、前記各パケットに対応するタグを生成する段階と、前記各パケットが対応するタグに基づいて異なる保護技術により送信されるように、ディスプレイパネル上のディスプレイのためにパケット及びタグを前記受信機に送信する段階と、を有する。
【００２４】
前記ビデオ送信方法は、前記送信機により、前記各パケットに対応するタグに基づいて前記各パケットに対して異なる保護技術を遂行する段階を更に含む。
前記各パケットのタグは、パケットの相対的重要度レベルを示すビットパターンがパケットのヘッダに追加される。
前記ビデオ送信方法は、前記送信機により、複数のアグリゲーティングされたＭＡＣプロトコルデータユニット（Ａ−ＭＰＤＵ）サブフレームでパケットをパッキングする段階と、前記Ａ−ＭＰＤＵサブフレームを前記受信機に送信する段階と、を更に含む。
前記ビデオ送信方法は、前記送信機により、複数の物理レイヤ収束手続（ＰＬＣＰ）プロトコルデータユニット（ＰＰＤＵ）フレームを同一のタグでタギングする段階と、同一の重要度レベルを有するＡ−ＭＰＤＵサブフレームをＰＰＤＵフレームでパッキングする段階と、前記ＰＰＤＵフレームを前記受信機に送信する段階と、を更に含む。
前記ビデオ送信方法は、前記送信機により、前記受信機からのリターン信号をモニタリングする段階と、チャンネル品質又はビデオ品質の少なくとも一つ以上の変化に基づいて異なる保護技術を調整する段階と、を更に含む。
【発明の効果】
【００２５】
本発明によると、電子データ通信のためのシステム及び方法が提供される。
【図面の簡単な説明】
【００２６】
【図１】本発明の一実施形態によるクロス−レイヤ最適化システムのハイレバル概要を説明するための無線データ送信システムの一例を示すブロック図である。
【図２】本発明の一実施形態により利用されるレイヤ−基盤圧縮方式の一例を示す図である。
【図３】本発明の一実施形態によるＡＰＰ、ＭＡＣ、及びＰＨＹレイヤにおける制御方式を含むデータ送信システムのクロス−レイヤ最適化システムのアーキテクチャー及び一部のコンポーネントの追加細部事項の一例を示すブロック図である。
【図４】本発明の一実施形態によるピクセルを異なるタイプでパーティショニングする一例を示す図である。
【図５】本発明の一実施形態による片目の視野の一例を示す図である。
【図６】本発明の一実施形態によるパケット又はレイヤ構造の再構成の一例を示す図である。
【図７】本発明の一実施形態によるヘッダ構造の一例を示す図である。
【図８】本発明の一実施形態によるデータの再構成の一例を示す図である。
【図９】本発明の一実施形態によるピクセルビット及びパケットの再構成の一例を示す図である。
【図１０】無線通信標準下で利用可能なヘッダフィールドの一例を示す図である。
【図１１】本発明の一実施例によるクロス−レイヤイメージ最適化のための方法の多様なオペレーションの一例を示すフローチャートである。
【発明を実施するための形態】
【００２７】
以下、本発明を実施するための形態の具体例を、図面を参照しながら詳細に説明する。
【００２８】
以下の詳細な説明は、本発明により提供されるマルチ−ギガビットチャンネル（ｍｕｌｔｉ−ｇｉｇａｂｉｔ  ｃｈａｎｎｅｌ）上の無線ビデオ送信のためのクロス−レイヤイメージ最適化（ｃｒｏｓｓ  ｌａｙｅｒ  ｉｍａｇｅ  ｏｐｔｉｍｉｚａｔｉｏｎ：ＣＬＩＯ）のためのシステム及び方法の実施形態であり、本発明の唯一の形態を示すものではない。以下の説明は例示する実施形態に関連して本発明の特徴を記述する。しかし、同一又は等価の機能及び構造が本発明の思想及び範囲内に含まれるものと意図される異なる実施形態により達成され得ることが理解される。本明細書の他の部分に示す通り、類似する図面符号は類似する部分又は特徴を示す。
【００２９】
ディスプレイ技術の未来は多様な無線ストリーミングデバイス（携帯電話、セットップボックス、プロジェクターなど）により提供される廉価のディスプレイで満たされる世界を含む。無線リンクを通じた高品質ビデオ送信は難題であることを示す。無線デバイスは非定常性である一方、無線リンクは、帯域幅が不足であり、多様な種類のノイズにぜい弱であり、またレイテンシ（ｌａｔｅｎｃｙ）が高く、可変的であり、これは特にビデオに有害である。ビデオ送信の厳しい要件により、異なるレイヤ（例えば、アプリケーション（ＡＰＰ）レイヤ、媒体アクセス制御（ＭＡＣ）レイヤ、及び物理（ＰＨＹ）レイヤ）が独立的に設計される一般的な設計方法は、高いデータレート無線データ送信を可能にしない。従って、本発明の実施形態は、一つのレイヤにおける情報が異なるレイヤのパラメータを変更するために利用されるクロスレイヤ接近法を提供する。このような柔軟性は、無線リンクの速い変化に対する迅速な適応を許容する。
【００３０】
ＩＥＥＥ８０２．１１ａｄ標準は、非圧縮ＦＨＤ（ｆｕｌｌ  ｈｉｇｈ  ｄｅｆｉｎｉｔｉｏｎ）無線ビデオに必要なビットレートを提供する。８０２．１１ａｄは、２．１６ＧＨｚの帯域幅を有するチャンネルを使用する６０ＧＨｚ帯域で作動し、単一キャリアを使用して物理レイヤ（ＰＨＹ）で最大４．６Ｇｂｐｓの帯域幅を提供し、これは非圧縮ＦＨＤビデオ送信に十分である。しかし、ＩＥＥＥ８０２．１１ａｄは確実な配置でのみ最大帯域幅を獲得することができる。例えば、ＩＥＥＥ８０２．１１ａｄは、送信機と受信機が互いに短距離内に、そしてＬｏＳ（ｌｉｎｅ  ｏｆ  ｓｉｇｈｔ）内に位置するように要求する。従って、本発明の実施形態は無線データ送信に対して向上させたアプローチを提供する。
【００３１】
いくつかの実施形態によると、本発明の多様な特性は、物理（ＰＨＹ）、媒体アクセス制御（ＭＡＣ）、又はアプリケーション（ＡＰＰ）クロスレイヤソリューションをはじめ、無線ネットワークを通じたビデオストリーミングのためのＱｏＳを向上させ、保証することに用いられる。従って、一つのレイヤ（例えば、ＭＡＣレイヤ）からの情報は他のレイヤ（例えば、ＡＰＰレイヤ）のパラメータを最適化することに用いられる。例えば、ビデオストリーミングで、ＡＰＰレイヤはレート制御（ネットワーク認識）においてチャンネル品質に関する情報を利用する。また、下位レイヤはビデオトラフィック特性に関する情報を利用するように構成される。多様な実施形態により、システムは、動的プロファイルパーティショニング、パケットに対する動的タギング、レイヤ基盤圧縮技術における異なるレイヤに対する不均一誤り保護、重要度レベル認識及び変調／コーディング選択、パケット化、及びビット又はピクセル間引き（ｐｒｕｎｉｎｇ）を利用する。
【００３２】
一実施形態によると、クロスレイヤ方法は、遅延制限された拡張可能なビデオ送信で知覚品質を最適化するために用いられる。また、それぞれのビデオレイヤに対するＰＨＹレイヤのパケット損失可視性（ｐａｃｋｅｔ  ｌｏｓｓ  ｖｉｓｉｂｉｌｉｔｙ）により不均一誤り保護（Ｕｎｅｑｕａｌ  Ｅｒｒｏｒ  Ｐｒｏｔｅｃｔｉｏｎ：ＵＥＰ）が用いられる。また、ＡＰＰレイヤにバッファ−認識ソース適応（ｂｕｆｆｅｒ−ａｗａｒｅ  ｓｏｕｒｃｅ  ａｄａｐｔａｔｉｏｎ）が存在する。レート適応方式はＩＥＥＥ８０２．１１メディア独立的ハンドオーバー（ＭＩＨ）フレームワークに基づくＱｏＳ−駆動シームレスハンドオフ方式のために使用される。レートを制御するために、量子化パラメータ（ＱＰ）は単一のレイヤコーディング（ＡＶＣ／Ｈ．２６４）に対して適応され、向上レイヤは拡張可能コーディング（ＳＶＣ／Ｈ．２６４）のために脱落される。無線ビデオ送信で承認されたセッションの数及びビデオ品質の観点でＱｏＳを最適化するための承認制御及び自動レイヤ管理と共にレート及びトラフィック適応も含まれる。トラフィック管理、経路選択、及びフレームフィルタリングは、セルラーネットワークでＵＤＰ／ＲＴＰを通じたビデオストリーミングのためのクロスレイヤ最適化技術として含まれる。クロスレイヤフレームワークは、使用者のＱｏＳレベル及びディスプレイの大きさ及びエネルギー制約を考慮した無線マルチメディアブロードキャスト受信機のエネルギー効率を最適化するために、ビデオコーデック最適化、レイヤコーディング送信（ｌａｙｅｒ  ｃｏｄｅｄ  ｔｒａｎｓｍｉｓｓｉｏｎ）のための時間スライシング最適化、及び適応型変調及びコーディング方式（ＭＣＳ）を含む。
【００３３】
元来、圧縮はソースから冗長性（ｒｅｄｕｎｄａｎｃｙ）を除去し、これによって本質的に送信誤りに対してより敏感である。圧縮システムがビデオストリームで送信誤りの影響を緩和することに用いられるいくつかの方法がある。ビデオストリームが品質、空間的又は時間的拡張性がある場合、不均一誤り保護（ＵＥＰ）の概念を用いてより重要な情報ビットに対してより高いレベルの保護を提供することができる。受信機側で、ビデオストリームが誤り耐性の特性を有する場合、誤り電波は最小化され、良好な比率の誤りは無視される。デコーディングの後に、誤り隠蔽（ｅｒｒｏｒ  ｃｏｎｃｅａｌｍｅｎｔ）をデコーディングされた出力に適用する。時間的誤り隠蔽を使用する一つの技術は、前のフレームを格納し、現在のフレームが損傷された場合、そのフレームを再生するものである。他の可能性は、誤りがある領域の周辺ピクセルを用いて現在のピクセルを予測するものである。一般的に、誤り隠蔽は他の方法が失敗した場合に最後の手段として使用される。
【００３４】
図１は、本発明の一実施形態によるクロス−レイヤ最適化システムのハイレバル概要を説明するための無線データ送信システム１００の一例を示すブロック図である。無線データ送信システム１００は、送信機１０２及び受信機１０６を含む。送信機１０２は、データソース１０４（例えば、ビデオカードコンピュータシステムのような外部データソース）からのデータ（例えば、非圧縮ビデオデータ）を入力端子１０３で受信する。受信機１０６は、イメージ及びビデオをディスプレイするディスプレイパネル１１０を有する使用者のデバイス又は電子装置１０８（例えば、電子表示装置、スマートフォン、テレビ、タブレットなど）に統合される。ディスプレイパネル１１０は複数のピクセルを含み、各ピクセルは複数の異なるカラーコンポーネント（又はサブ−ピクセル）（例えば、各ピクセルは赤色コンポーネント、緑色コンポーネント、及び青色コンポーネントを含む）を含む。
【００３５】
ビデオの観点でみると、ビデオのそれぞれのフレームは、ディスプレイパネル１１０上にイメージとしてディスプレイ（例えば、簡略にディスプレイ）される。一実施形態で、ディスプレイパネル１１０は、例えばテレビ、モニター、携帯電話、タブレットコンピュータ、ウェアラブルデバイス、拡張現実（ＡＲ）ヘッドセット、仮想現実（ＶＲ）ヘッドセットのような一体型ディスプレイを有する任意の電子装置１０８の一部として含まれる。
【００３６】
また、送信機１０２及び受信機１０６には無線ラジオ（１１２、１１４）が統合されており、送信機１０２は無線ラジオ（１１２、１１４）を通じて受信機１０６と無線データ通信する。従って、送信機１０２及び受信機１０６は任意の適切な無線データスペクトル及び標準（例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準）を用いて相互間でデータのやり取りをする。例えば、送信機１０２は直通（例えば、データ）チャンネル１３０（例えば、無線通信チャンネル）を通じて受信機１０６にクロス−レイヤイメージ最適化方式のパラメータ又は特性と共にデータ信号を送信し、受信機１０６はリターンチャンネル１３２を通じて送信機１０２にフィードバックデータ又はリターン信号（例えば、チャンネル又は視覚品質データを含む）を送信する。
【００３７】
他のエレメントのうち、送信機１０２は、アプリケーション（ＡＰＰ）レイヤ１１６（例えば、ディスプレイプロトコル及びビデオエンコーダモジュールを含む）、媒体アクセス制御（ＭＡＣ）レイヤ１１８、及び物理（ＰＨＹ）レイヤ１２０を更に含む。本実施形態により、クロス−レイヤイメージ最適化の多様な様相がＡＰＰレイヤ１１６、ＭＡＣレイヤ１１８、及びＰＨＹレイヤ１２０で遂行されるか又は実行される。これと同様に、受信機１０６は、ＡＰＰレイヤ１２２、ＭＡＣレイヤ１２４、及びＰＨＹレイヤ１２６を含む。
【００３８】
無線データ送信システム１００は、クロス−レイヤイメージ最適化システム及び方法を制御するために、送信機１０２の一部として又は送信機１０２と協力して動作するクロス−レイヤイメージ最適化（ＣＬＩＯ）モジュール又はエンジン１３４を更に含む。ＣＬＩＯモジュール１３４は、例えばプロセッサー及びプロセッサーに結合されたメモリを含み、メモリはプロセッサーにより実行される命令を格納し、この命令はプロセッサーが本明細書で説明するクロス−レイヤイメージ最適化システム及び方法の多様な動作を実行する。例えば、ＣＬＩＯモジュール１３４は、ＡＰＰレイヤ１１６、ＭＡＣレイヤ１１８、及びＰＨＹレイヤ１２０と電子通信してデータ及び命令を交換することによって、本明細書で説明するクロス−レイヤイメージ最適化システム及び方法を遂行する。
【００３９】
従って、図１に示した通り、無線データ送信システム１００は、ＡＰＰレイヤ１１６、ＭＡＣレイヤ１１８、及びＰＨＹレイヤ１２６でクロス−レイヤイメージ最適化のための多様なメカニズムを実現した後、送信機１０２でデータを受信し、受信機１０６にデータを送信する。
【００４０】
ビデオ圧縮／圧縮解除システム又はコーデックは、本質的に６つの異なる方式、即ち圧縮、品質（わい曲）、複雑度、レイテンシ、品質拡張性、及び誤り耐性で評価される。
【００４１】
一部の実施形態によると、ビデオ又はデータストリームが多数の品質レイヤ、解像度レイヤ、空間位置、又はカラーコンポーネントで構文解析（パーシング）されるか又は分割されるレイヤ−基盤圧縮アーキテクチャーがデータ又はビデオ圧縮のために用いられる。関連技術のレイヤ−基盤圧縮アーキテクチャー（例えば、ＪＰＥＧ２０００）で、データストリームはフレームヘッダで始まり、次にパケットヘッダ及びデータビットのシークエンスが後に続く。しかし、ストリームは、特にリアルタイムＵＨＤコーデックの場合、重要度の順に整列されなくてもよい。
【００４２】
一実施形態で、レイヤ−基盤圧縮システム（例えば、ＪＰＥＧ２０００標準又はこれと類似するもの）は、クロス−レイヤイメージ最適化システム及び方法（例えば、ＣＬＩＯモジュール１３４により実行される）の一部でレイヤ−基盤圧縮として利用される。本実施形態によるレイヤ−基盤エンコーダは、コンポーネントに対するカラー変換、各カラーチャンネル上のウェーブレット変換、ウェーブレット係数の量子化、及び最後にコード−ブロックとして知られたウェーブレット係数の長方形領域の算術コーディングの各段階を利用する。このようなエンコーダは、カラーコンポーネント、解像度レベル、空間ブロックポジション、又はレイヤに基づいてこれらのコード−ブロックの多様なシークエンスを許容することによってエンコーディングされたデータの構造に対する柔軟性を提供する。個別コードブロックは独立的にデコーディング可能であるが、これらコードブロックに対するヘッダは前のヘッダに依存し、従ってシークエンスの通りデコーディングされる。
【００４３】
図２は、本発明の一実施形態により利用されるレイヤ−基盤圧縮方式の一例を示す図である。本実施形態により利用されるレイヤ−基盤圧縮エンコーディングされたデータストリームは、フレームヘッダで始まり、次にパケットヘッダ及びデータビットのシークエンスが後に続く。上述した通り、データストリームは、多数の品質レイヤ、解像度レベル、空間ポジション、及びカラーコンポーネントで分割される。しかし、利用される特定のエンコーディングシステム（例えば、ＪＰＥＧ２０００）に依存して、ストリームは、特にリアルタイムＵＨＤコーデックの場合、重要度の順に整列される。図２の例は、レイヤで生成されたレイヤ−基盤圧縮エンコーディングされたデータストリームの例を示すが、一例として、第１レイヤは８：１の圧縮レベルに対応し、（全ての第１レイヤパケットをデコーディングした）第２レイヤの端で圧縮は４：１にセッティングされる。最後に、第３レイヤパケットをデコーディングすることは２：１圧縮でストリームを伝送するのと等価である。本実施形態は上述した圧縮比又はレイヤの数に制限されない。むしろ、本実施形態は、第１又は最高レイヤが最高圧縮比を有し、次のレイヤは、第１レイヤに追加される時に圧縮比が第１レイヤの圧縮比よりもより低くなるようにするデータを有する方式で行われ、最低又は最後のレイヤが先行レイヤのそれぞれに追加される時に視聴者に比較的低いか、視覚的に無損失か、又は視覚的に殆ど無損失（例えば、１：１、１．５：１、２：１）の圧縮比になるようにするデータを有する時まで行われるように、クロス−レイヤイメージ最適化システム及び方法の設計及び機能により任意の適切な圧縮比を有する任意の適切な数のレイヤを利用する。
【００４４】
一部の実施形態によると、ＶＲディスプレイのコンテキストで、立体視イメージ（ｓｔｅｒｅｏｓｃｏｐｉｃ  ｉｍａｇｅ）が受信機に送信される時、データ送信の誤りは、その誤りが一側にのみあっても左側及び右側イメージの両方に影響を与える。従って、一部の実施形態で、クロス−レイヤイメージ最適化システム及び方法（例えば、ＡＰＰレイヤ１１６のＣＬＩＯモジュール１３４及び／又はビデオエンコーダモジュール）は、左側イメージ＋右側イメージの差に対して圧縮を行い、その後、多様な左側イメージ＋右側イメージの差のスライスがマルチプレキシングされたストリームとしてエンコーディングされることを保証する。このような手続は、データ送信の誤りがアーチファクト（ａｒｔｉｆａｃｔ）の可視性に衝撃を与えるインスタンスの数を（例えば、半分に）減少させる。
【００４５】
ビデオストリーミングの品質を向上させるためのクロスレイヤアルゴリズムにおける本実施形態は、ＰＨＹレイヤの一つ以上の特徴、例えばＰＨＹレイヤのチャンネル品質の識別子に基づいて変調及びコーディング方式（ＭＣＳ）が変更される動的適応型変調及びコーディング（ＡＭＣ）を追加的に利用する。より低いＭＣＳ値はより低いビット誤りレートを提供するが、より低いスループットも達成する。ＭＡＣレイヤは、ＭＣＳに基づいて圧縮レートを調整するためにＭＣＳに関してＡＰＰレイヤに通知する。
【００４６】
異なるビット及びパケットを損失することは、ビデオ品質に異なる衝撃を与え、本実施形態は、非圧縮／圧縮ビデオで最上位ビット（ＭＳＢ）に対するより多くの保護、ＪＰＥＧ２０００のパケットヘッダに対するより多くの保護、又はＭＰＥＧ−４のＩ−フレームに対するより多くの保護をはじめ、ＵＥＰ接近法を利用してビデオ受信でより重要なビットを保護するように動作する。保護は、より堅固なＭＣＳ、再送信、又はリード−ソロモン（Ｒｅｅｄ−Ｓｏｌｏｍｏｎ）のような追加誤り訂正コードを使用することによって達成される。
【００４７】
図３は、本発明の一実施形態によるＡＰＰ、ＭＡＣ、及びＰＨＹレイヤにおける制御方式を含むデータ送信システム１００のクロス−レイヤ最適化システムのアーキテクチャー及び一部のコンポーネントの追加的な細部事項の一例を示すブロック図である。測定及びフィードバックブロックは、ビット誤りレート、ビデオ品質、及び特定のサービスクラスの使用可能な帯域幅のような条件を推定することに使用される。その後、ＡＰＰレイヤとＭＡＣレイヤのモデルは、最適のビット割当によりビデオ品質のわい曲を最小化して、順方向誤り訂正に必要なビット数を減少させ、その損失の衝撃によりパケットの優先順位を決定する。
【００４８】
一部の実施形態で、図３に示した通り、ＡＰＰレイヤで、システムは受信機からのフィードバック及び測定に基づいて（例えば、受信機１０６からのリターンチャンネル１３２上で受信されたデータに基づいて）光圧縮をイネーブル／ディスエーブルする。フィードバックは、例えばビデオ品質に基づき、ビデオ品質の測定は、例えば受信機により報告される信号対雑音比（ＳＮＲ）又はピーク信号対雑音比（ＰＳＮＲ）に基づく。
【００４９】
図３のＭＡＣレイヤは、例えばピクセルパーティショニング、再送信及び多重ＣＲＣ検査、ＭＳＢ／ＬＳＢ分離のような特徴を用いたパケット化、及び異なるバッファをはじめとする多数の機能、モジュール、又は手続を含む。ＰＨＹレイヤから受信されたフィードバック又はＡＰＰレイヤのパラメータに基づいて、システム（例えば、ＣＬＩＯモジュール１３４）は、ＭＡＣレイヤでこれらの関数のパラメータを変更し、これらの関数、モジュール、又は手続が如何に作動すべきかを決定する。例えば、ピクセルパーティショニングが遂行されるか否か、及びピクセルパーティショニングが遂行される場合、パーティションがパケットで分割される方法がある。また、これらのシステムは再送信がイネーブルされるか否かを決定するか又は選択するように構成される。
【００５０】
一部の実施形態によると、システム（例えば、ＣＬＩＯモジュール１３４）はＵＥＰ実現でこれらの特徴を利用する。例えば、パケットのうちの一部は再送信のようなこのような特徴を含むか、又はこれらの特徴は異なるＭＣＳ又はＭＳＢ／ＬＳＢ分離のように異なるパケットに対して異なるパラメータを有する。
【００５１】
ＰＨＹレイヤ（例えば、受信機内の対応するＰＨＹレイヤ１２６と共にＰＨＹレイヤ３０２及び送信機内の対応するＰＨＹレイヤ１２０と共にＰＨＹレイヤ３００）は、図３に示した通り、ＵＥＰの実現のために多数のレイヤを含む。異なるパケットは異なるＭＣＳ値を有する異なるレイヤを通じて伝送される。異なるレイヤは、異なる優先順位を有する異なるバッファに関連付けられる。一部の実施形態により、システム（例えば、ＣＬＩＯモジュール１３４）は、ビデオ品質及び測定フィードバックにより異なるパケットを異なるレイヤ及びバッファに関連付ける。
【００５２】
一部の実施形態によると、非圧縮又は圧縮送信のためのクロス−レイヤイメージ最適化の第１段階は、レイヤリング（ｌａｙｅｒｉｎｇ）又はパーティショニングである。本実施形態は、以下でより詳細に説明する複数の予め定義されたレイヤリング及び／又はパーティショニングプロファイルを利用する。データ送信セッションの一部として、異なるレイヤリング及び／又はパーティショニングプロファイルのうちの一つは、例えば表示装置のタイプ、ビデオ視覚品質に対する異なる基準又は識別子（ピーク信号対雑音比（ＰＳＮＲ）を含む）、チャンネル品質、コーデック要件又は選択、ＭＣＳ及びデータレート要件などを含む一つ以上の予め定義されたパラメータに基づいて選択される。それぞれのプロファイルは、例えば他の誤り訂正技術、圧縮、又はパケット化をはじめ、送信機及び受信機における異なるセットの手続を指示するか又はそれによって定義される。
【００５３】
また、本実施形態は、異なるレイヤの順序化されたビットストリームに対するクロス−レイヤイメージ最適化の一部として不均一誤り保護（ＵＥＰ）方法を利用する。ビットストリーム又はパケットの順序化は、レイヤード−基盤圧縮ビデオ又は非−圧縮ビデオ上で遂行される。異なるＭＣＳ値はチャンネル品質により異なるレイヤに対して利用される。
【００５４】
一部の実施形態によると、（例えば、ＩＥＥＥ８０２．１１ａｄでのように）パケットに対する動的タギング（ｄｙｎａｍｉｃ  ｔａｇｇｉｎｇ）は本発明のクロス−レイヤイメージ最適化システム及び方法の一部として用いられる。重要度レベル認識手続が送信機に対するＭＡＣパケット化器及び受信機における逆パケット化器（ｄｅｐａｃｋｅｔｉｚｅｒ）で実現されるため、重要度レベル及び対応する情報が受信機に送信されるか又はシグナリングされる。
【００５５】
上述した通り、本実施形態において、システムは本発明のクロスレイヤイメージ最適化システム及び方法の一部として動的レイヤリング及びパーティショニングプロファイルを利用する。送信機及び受信機（例えば、送信機１０２及び受信機１０６）は、複数の予め定義されたレイヤリング／パーティショニングプロファイルを活用するか又はこれに同意する。このようなプロファイルは、ビデオ視覚品質（ＰＳＮＲを含む）、チャンネル品質、コーデック要件又は選択、ＭＣＳ、データレート要件などに対する異なる基準に基づいて選択される。受信機は、その後、レイヤリング方法をリバース（ｒｅｖｅｒｓｅ）し、及び／又は選択されたプロファイルに対応する誤り隠蔽アルゴリズムを用いて任意の送信誤りを追加的に訂正するために実行される対応する一つ以上のアルゴリズムを選択する。
【００５６】
一実施形態において、システムは多様なチャンネル条件と共に使用するために７つのプロファイルを利用するが、プロファイルの数はこれに制限されず、無線データ送信システムの設計及び機能により任意の適切な数のプロファイルが用いられる。
【００５７】
例えば、プロファイル「００」はチャンネルが理想的又は略理想的条件で作動する時に対して定義される反面、プロファイル「０６」はチャンネルが非常に劣悪な条件で動作する時に対して定義される。「００」と「０６」との間のプロファイルはその後に多様な中間条件に対して定義される。
【００５８】
図４は、本発明の一実施形態によるピクセルを異なるタイプでパーティショニングする一例を示す図である。例えば、第１プロファイル（例えば、プロファイル「００」又は理想的／略理想的条件プロファイル）は、チャンネル品質が高い場合に対応する非圧縮ビデオ送信のために定義される。このようなプロファイルに対して、ピクセルパーティショニング技術は互いに隣接するピクセルが非常に類似するコンテンツを含む確率が高いと仮定する。４つからなるグループからの任意のピクセルが脱落した場合、それは他の３つのキャプチャされたピクセルから再計算される。プロファイル「００」は、図４に示した通り、４つのタイプのピクセルでイメージを分割することにより選択される。一つのタイプにおけるピクセルの３つのカラーは１パケットでパッキングされる。全ての４タイプのパケットは受信機に送信される。プロファイル「００」が送信されることを知っている受信機はイメージ品質を向上させることができる。例えば、ピクセルのうちの任意のもののピクセルデータ（又はピクセル内の任意のカラー）が脱落した場合、受信機は４又は８つ（平均化するピクセルの数は動的である）の周辺ピクセルのグループを平均化することによって脱落したピクセル又はカラーを代替する平均化方法を実行する。イメージ圧縮方法は、互いに隣接するピクセルが相関値を有するというアイディアにも依存する。この方法は、エントロピー−コーディング圧縮アルゴリズムに比べて実現がより簡単で、ビット誤りに対してより堅固になる。
【００５９】
第２プロファイル（例えば、プロファイル「０１」）は、第１プロファイル（プロファイル「００」）と類似に、４タイプのピクセルでイメージを分割することによって選択される。しかし、送信のために３つのタイプのピクセルが選択される。システムは一つのタイプのピクセルを脱落させることによって結果的なわい曲が臨界値より低いか否かを計算する。このプロファイルが受信機にシグナリングされると、受信機は４つのピクセルタイプの各々のうちの３つ（又はそれ以上）の他のピクセルの平均から脱落したピクセルデータ値を推定する。臨界値は、例えば視覚品質（例えば、ＰＳＮＲ）を含む異なる基準に基づいて選択される。送信されないピクセルタイプの選択及び臨界値もシグナリングされる。
【００６０】
第３プロファイル（例えば、プロファイル「０２」）は、上述した最初の２つのプロファイル（例えば、プロファイル「００」及び「０１」）よりも低い帯域幅上で動作する（例えば、それによって選択される）。例えば、第３プロファイルは、一つ又は全てのパケットでピクセルの最下位ビット（ＬＳＢ）を送信しない。その後、受信機で、平均化アルゴリズムがこのビットを補償する。わい曲に対する他の臨界レベルは、非圧縮ビデオに対して上述した第１又は第２プロファイル（例えば、プロファイル「０１」又は「００」）の代わりに、第３プロファイル（例えば、プロファイル「０２」）を選択するように考慮される。
【００６１】
チャンネルの品質が低く、ＰＨＹレイヤがＭＣＳに対するより低い値をシグナリングする場合、他のプロファイルが圧縮ビデオのために考慮される。例えば、無線ビデオ送信のための新たなプロファイルを定義するために多重品質−レイヤリングが用いられる。レイヤード−基盤圧縮で、多重レイヤが上述した通り生成される。本実施形態によると、最高レイヤは複数のレイヤのうちの最高圧縮比を有するデータを含み、最低レイヤは、上位レイヤに追加される場合、比較的低い圧縮比（例えば、１：１又は１：１．５又は任意の適切な又は視覚的無損失圧縮比）でイメージを形成するデータを含む。例えば、（例えば、図２に例示した通り）３レイヤ圧縮方式で、レイヤ１は４：１の圧縮比を有する圧縮イメージデータを含む。レイヤ２は、レイヤ１に追加された場合、２：１の圧縮比を有する圧縮イメージを形成するデータを含む。レイヤ３は、レイヤ１及びレイヤ２に追加された場合、結果的なイメージが１：１の圧縮比（又は１．５：１又は他の視覚的に無損失圧縮比）を有するビットストリームを含む。
【００６２】
送信機は、チャンネル品質、視覚品質、コーデック要件などにより、伝送するレイヤを選択する。レイヤ１、２、及び３（又は全てのレイヤ）を送信する時に第４プロファイル（例えば、プロファイル「０３」）を、レイヤ１及び２（又はレイヤのサブ−セット）を伝送する時に第５プロファイル（例えば、プロファイル「０４」）を、そしてレイヤ１又は最高圧縮比を有するレイヤを伝送する時に第６プロファイル（例えば、プロファイル「０５」）を定義する。第７プロファイル（例えば、プロファイル「０７」）に対して、送信機は、レイヤのうちの一つの部分、例えばレイヤ１及びレイヤ２の全部及びレイヤ３の一部のみを伝送する。受信機は、第７プロファイル（例えば、プロファイル「０６」）が送信されることを認知することによって、脱落したデータ情報を探索するか又は追加訂正アルゴリズムを実行する。送信機は、元のパケットの長さ、及びパケットヘッダ内の送信されたパケットの長さも示す。これによって、受信機は、レイヤの一部が受信されていないことを認知し、受信されたパケットの正しい大きさを推論する。また、受信機は、パケットの一部が受信されていないことをデコーダーに警告し、それは余分の情報が送信機により再伝送されるか又は再送信されるように要請する。
【００６３】
追加のプロファイルは、送信されるデータのタイプ、イメージがディスプレイされるディスプレイの性質、又は同一のイメージの他の部分に対するイメージの特定部分の重要度により設定される。例えば、一部の実施形態によると、イメージの特定部分又は領域は、イメージの一部分に対応するビットに対するデータ送信の誤りがイメージの他の部分に対応するビットに対するデータ送信の誤りよりも視聴者に、より知覚可能であるかもしれないという意味で、イメージの他の部分より重要になる。
【００６４】
図５は、本発明の一実施形態による片目の視野の一例を示す図である。一部の実施形態によると、クロス−レイヤイメージ最適化システム及び方法は、例えばディスプレイ（例えば、ディスプレイパネル１１０）がＶＲディスプレイであるＶＲディスプレイシステムのコンテキストで展開される。このような状況で、視聴者のイメージ知覚の大部分（例えば、９０％）は、イメージの中央（例えば、視野の中心１５度）及びその周囲に焦点を合わせるが、その理由は使用者がイメージの異なる部分に焦点を合わせるために自身の頭を動かす傾向があるためである。従って、図５に示した通り、クロス−レイヤイメージ最適化システム及び方法（例えば、ＣＬＩＯモジュール１３４）は、イメージの第２領域（例えば、ラベル「Ｂ」で図５にラベリングされた領域、例えば、第１領域と第１領域の外側の第２視野の間又は視野の１５度と２０度との間の領域）よりも、イメージの第１又は中心領域（例えば、ラベル「Ａ」で図５にラベリングされた領域、例えば視野の１５度の領域）に対応するデータを優先視する。また、イメージの第１及び第２領域の両方は、イメージの第３領域（例えば、図５に「Ｃ」でラベリングされた領域、例えば第１及び第２領域の外部又は視野の２０度外側の領域）よりも優先視される。
【００６５】
より高い重要度又は優先順位を有するイメージの領域を識別する他の方法は、その全体が引用により本明細書に含まれる米国特許出願番号第１５／２８８，９７７号で説明される。例えば、一部の実施形態によると、より高い重要度を有するイメージの領域に対応するデータは、より低い重要度を有するイメージの領域に対応するデータに比べて、より高いレベルの重要度又はより高い程度の誤り保護を有するように指定される。より高い重要度を有するイメージの領域は、例えば図５に関連して本明細書で説明した通り、受信機に対応する表示装置のタイプにより変動する。
【００６６】
イメージの異なる領域が異なるように優先視されるため、クロス−レイヤイメージ最適化システム及び方法（例えば、ＣＬＩＯモジュール１３４）は、イメージの他の領域のデータと比較して、第１領域のデータが最低レベルの誤りを有し、イメージの第２領域が２番目に低いレベルの誤りを有する方式になるように、プロファイル（例えば、上述したようなレイヤリング／パーティショニングプロファイル）又はＵＥＰ方式（以下でより詳細に説明する）を選択する。また、一部の実施形態によると、クロス−レイヤイメージ最適化システム及び方法（例えば、ＣＬＩＯモジュール１３４）は、外部領域又は領域からの誤りがイメージの最高優先順位（例えば、中心）領域に伝播されないようにデータをパーティショニングする。
【００６７】
一部の実施形態によると、クロス−レイヤイメージ最適化システムは、例えば送信のためにイメージの異なる部分を優先視するために、より低い番号プロファイル（例えば、より低い誤りがちのプロファイル（ｌｏｗｅｒ  ｅｒｒｏｒ−ｐｒｏｎｅ  ｐｒｏｆｉｌｅ））がイメージのより高い優先順位の部分に対して選択され、より高い番号プロファイル（例えば、より高い誤りがちのプロファイル）がイメージのより低い優先順位の部分に対して選択されるように上述した多様なプロファイル（例えば、第１プロファイル〜第７プロファイル）を利用する。一部の実施形態によると、別途のプロファイルが表示装置のタイプ（例えば、テレビ、ＶＲディスプレイ、ＡＲディスプレイ、無線医療ディスプレイなど）により具体的に予め定義されるため、データは、交換されるイメージデータの部分の優先順位レベルにより、送信（例えば、圧縮、エンコーディング、パケット化、ビット脱落（ｂｉｔ  ｄｒｏｐｐｉｎｇ）又は間引き（ｐｒｕｎｉｎｇ））又は受信（例えば、圧縮解除、デコーディング、誤り訂正、逆パケット化、再送信）において異なる手続で送信される。
【００６８】
一実施形態で、レイヤリング又はパーティショニングプロファイルに対する選択基準は、ビデオ視覚品質（例えば、ＰＳＮＲ）及び／又はチャンネル品質（例えば、ＳＮＲ）に基づく。レイヤリングは、非圧縮ビデオ、一部パケットが脱落された非圧縮ビデオ、又は異なる圧縮比を有する圧縮ビデオが伝送されなければならないのかを識別する。キューの優先順位、遅延公差、誤り保護、及び／又は信頼性の観点で異なるレイヤが異なるように取り扱われる。それに相応して、送信機及び受信機は、プロファイルを選択するか又はプロファイル番号を受信することによって、データ送信（例えば、圧縮、エンコーディング、パケット化、ビット脱落又は間引き）又は受信（例えば、圧縮解除、デコーディング、誤り訂正、逆パケット化）の一部として又はその前に、異なる手続をイネーブルする。
【００６９】
一部の実施形態によると、プロファイルの選択は、ＭＡＣ又はＰＨＹヘッダパケットのビット選択により受信機に送信される。ビット選択に基づいて、受信機はレイヤリングのために選択された方法を識別する。プロファイル番号以外に、例えば圧縮において、レイヤの数及び／又はそれぞれのレイヤで、パケット／バイト数をはじめ、選択されたプロファイルに対して要求される任意の他の情報が受信機に送信される。余分の情報はパケットヘッダのビットパターンにより又はセキュリティチャンネルを通じて伝送されるか又は予め定義される。
【００７０】
従って、本発明の一つ以上の実施形態は、無線データ通信チャンネル上で送信機から受信機にデータ（例えば、非圧縮ビデオデータ）を送信するために予め定義されたレイヤリング及び／又はパーティショニングプロファイルのセットを選択するためのシステム及び方法を含む。プロファイルは、例えばチャンネル品質、ビデオ品質、コーデック要件又は選択、ＭＣＳ及びデータレート要件、送信されるデータの性質又は特性、（例えば、受信機にカップリングされた）受信機端の表示装置の性質又は特性を含む多様な条件又はパラメータにより選択される。プロファイルの選択は、例えばＭＡＣレイヤ及び／又はＰＨＹレイヤヘッダパケットのビット選択により送信機から受信機に送信される。選択されたプロファイルに依存して、圧縮解除、デコーディング、誤り訂正などに対する一つ以上のパラメータを示す追加情報も送信機から受信機に（例えば、ＭＡＣレイヤ及び／又はＰＨＹレイヤヘッダパケットで）送信される。送信機から受信機に送信された情報（例えば、ビット選択）に基づいて、受信機は、データレイヤリング及び／又はパーティショニング及び／又は圧縮のために送信機で利用された方法及び／又はプロトコルを識別し、これによりレイヤリング及び／又はパーティショニング及び／又は圧縮をリバースさせ、選択されたプロファイルに対応する誤り隠蔽アルゴリズム又は手続を用いて、送信の間の任意の誤りも訂正するために実行する対応するアルゴリズム又は手続を選択することが可能になる。
【００７１】
図６は、本発明の一実施形態によるパケット又はレイヤ構造の再構成の一例を示す図であり、図７は、本発明の一実施形態によるヘッダ構造の一例を示す図である。本実施形態は、更に、例えばビデオデコーディングのためにより重要なビットを保護するように（例えば、そのビットの適切な送信を容易にするように）優先順位−基盤不均一誤り保護（ＵＥＰ）を利用する。例えば、レイヤ−基盤圧縮で、より高い圧縮レートに対応するか（例えば、ベースレイヤ又はレイヤ１に対応）又はこれに関連するビットはビデオデコーディングでより重要であり、従ってより多くの保護を必要とする。また、パケットヘッダ又はフレームヘッダのビット誤りはビデオデコーダーが後続データビットをデコーディングできないようにする。クロス−レイヤイメージ最適化システム及び方法の一実施形態において、パケットヘッダは、図６に示した通り、それぞれのフレームの先頭（ｂｅｇｉｎｎｉｎｇ）に移動する。また、パケットヘッダは、図７に示した通り、固有の先頭及び後尾（ｅｎｄ）値により識別される。ヘッダがフレームの先頭に移動すると、識別子もヘッダを互いに分離させるように移動する。後尾識別子も一部の例示的な実施例により除去される。最後の後尾識別子はヘッダ情報の端と次のレイヤのデータ情報との間を区別するように維持される。
【００７２】
一部の実施形態によると、クロス−レイヤイメージ最適化システム及び方法（例えば、ＣＬＩＯモジュール１３４）は、これらのヘッダ及びベースレイヤに対する無線媒体の損失又は誤りに備えて異なる保護技術を利用する。例えば、一部の実施形態によると、異なるＭＣＳ値が異なるレイヤに利用されるか又は異なる順方向誤り訂正（ＦＥＣ）アルゴリズムが異なるコーディングレートで用いられる。また、不均一誤り保護オペレーションはＭＡＣレイヤで実行され、これにより本実施形態は、再構成エンジンを向上させるか又は最適化してこれを異なるコーデックに適用することを可能にする。例えば、ＡＰＰレイヤが全体データをＭＡＣレイヤに伝達するが、ＭＡＣレイヤは本明細書で説明する多様なクロス−レイヤイメージ最適化オペレーションを遂行するためにより多くの柔軟性を有する。また、ＭＡＣレイヤでＵＥＰを実行することによって、システムは相対的により動的であるが、その理由は、異なる機能が本明細書で説明した通り特定状況により異なるパラメータに修正されるためである。また、本実施形態は、これによって無線チャンネルの状態に基づいて部分的な再構成のみを遂行することが可能になる。
【００７３】
図８は、本発明の一実施形態によるデータの再構成の一例を示す図である。本実施形態により利用される圧縮技術は、図８に示した通り、異なるデータコンポーネントを提供することによって異なる圧縮比のレイヤ以外にも、追加的なパーティショニング技術を提供する。例えば、多様な類似するピクセルビット（例えば、同一又は類似するＭＣＳ値を有するピクセルビット）は共にグループ化されるようにパケットで再構成される。異なる優先順位を有する多数のレイヤでその出力もパーティショニングする任意の適切な圧縮技術が用いられる。ヘッダ及びデータ移動において同一のアプローチが用いられる。
【００７４】
異なるＭＣＳ値又は異なるコーディングレートを有するＦＥＣがデータのヘッダ又はパーティションに対して用いられる。
【００７５】
一実施形態において、ヘッダはフレームでそのヘッダの次にくるデータパケットの長さに関する情報を含む。一部のインスタンスで、クロス−レイヤイメージ最適化システム及び方法は、チャンネル条件、ＭＣＳ条件、帯域幅条件などによりそれぞれのレイヤ又はパーティションでデータビットの一部を送信する。従って、送信されるデータストリームの長さもヘッダ情報に添付されて受信機に送信される。例えば、固定された又は予め決定された数のバイト（Ｎバイト）がこの長さを識別するために予約される。一部の実施形態によると、データストリームの長さは容易な識別のためにそれぞれのヘッダの端にある。
【００７６】
従って、本発明の一部の実施形態によるシステム及び方法は、無線データ通信チャンネル上の送信に対する優先順位、遅延公差、及び／又は保護又は信頼性レベルによりレイヤ又はレベル基盤圧縮システムでビットを再パーティショニング又は再構成するように構成される。データフレームは、フレームヘッダ及びパケットヘッダビットを含み、これはデータビットと比較してより高いレベルの保護を必要とする。フレームのデータビットも、異なる優先順位、保護及び／又は信頼性レベルにパーティショニングされる。ヘッダは、予め定義された又は知られたビットストリングにより識別され、データビットは重要度の順により整列される。一部の実施形態によると、より高い優先順位又はより低い遅延公差ビットはデータフレームの先頭に移動するか又は再構成される。例えば、データのフレームは、（例えば、優先順位又は重要度の順に）フレームヘッダで始まり、パケットヘッダが後に続き、データビットが後に続く。パケットヘッダは、予め定義されるか又は予め決定されたビットストリングにより分離されるか又は識別される。また、一部の実施形態により、データビットストリームの長さは、それぞれのパケットヘッダに対応する長さの識別子をパケットヘッダに、その前又はその後に挿入することによって示される。受信機のデコーダーは、例えばパケットヘッダ及び他のデータビットを元の位置（再構成の前）に移動させ、データ長さビットのように任意の追加的に挿入されたデータを除去することによってフレームを再構成するが、フレームを再構成することに追加データを利用する。
【００７７】
従って、本実施形態は、クロスレイヤイメージ最適化のための任意のレイヤ及び／又はレベル基盤圧縮技術に対して不均一誤り保護の実現を提供する。ヘッダ、レイヤ、及び／又はデータパーティションは、重要度又は優先順位レベルにより再構成され、そのような再構成は送信機のＭＡＣレイヤで実行される。クロスレイヤイメージ最適化方式により、それぞれのパケットからのデータの一定部分は除去されるか又は脱落され、このデータに関する情報はヘッダ情報に統合される。付加的に、本実施形態は、例えば異なる重要度レベルに又は異なるように情報を保護するために順方向誤り訂正（ＦＥＣ）に対して異なるＭＣＳ値を利用することで不均一誤り保護を利用する。一部の実施形態による不均一誤り保護の一部として、全てのヘッダが（例えば、一位置で）共にグループ化されるように再構成されるため、全てのヘッダは、例えばフレームのヘッダのそれぞれに対していくつかの小さい順方向誤り訂正（ＦＥＣ）を個別的に使用するよりは、一つの不均一誤り保護アルゴリズムを経る。
【００７８】
一部の実施形態によると、異なるパケットは、ＵＥＰ及びレイヤ／パーティション−基盤圧縮を用いて異なるように保護されるため、異なるパケットを損失することは視覚品質に異なるように影響を与える。例えば、ヘッダ又はベースレイヤの特定パケットが損失された場合、システムは受信機側でビデオを再構成できないこともある。一方、一部パケットの損失はＰＳＮＲ低下を招くことがある。また、上述した通り、システムで利用される表示装置のタイプに依存して、イメージデータの異なる部分は誤りを最小化する観点でイメージデータの他の部分よりもより高い優先順位を有する。従って、本実施形態は、更に、以下でより詳細に説明するように動的ＵＥＰ及び重要度認識タギングを利用する。
【００７９】
上述した通り、本実施形態によるクロス−レイヤイメージ最適化システム及び方法は、パケットを優先順位、遅延公差、保護、又は信頼性に基づく異なる重要度レベルにパーティショニングするように動作する。それぞれの重要度レベルは、送信及び／又は受信時に異なるように取り扱われる。
【００８０】
一実施形態で、それぞれのフレームは、異なる重要度レベルを有する多数のビデオパケットで分割される。システムは、その後にそれぞれのパケットを対応する重要度レベルにタギング（ｔａｇｇｉｎｇ）し、対応するビットはアグリゲーティングされたＭＡＣプロトコルデータユニット（Ａ−ＭＰＤＵ）サブフレーム及び物理レイヤ収束手続（ＰＬＣＰ）プロトコルデータユニット（ＰＰＤＵ）フレームでパッキングされる。一例で、ＰＰＤＵは、重要度レベルでタギングされ、同一の重要度レベルのパケット及びＡ−ＭＰＤＵサブフレームと動的にパッキングされる。再送信が可能になると、再送信される必要があるＡ−ＭＰＤＵサブフレームは、キューイングされ、適切な重要度レベルを有する適切なＰＰＤＵに配置される必要がある。
【００８１】
他の実施形態によると、それぞれのＡ−ＭＰＤＵサブフレームは重要度レベルによりタギングされる。この場合、全てのＰＰＤＵは、重要度レベルの観点で同等に考慮され、これらは異なる重要度レベルを有するＡ−ＭＰＤＵとパッキングされる。再送信を必要とする遅延敏感シナリオで、ＰＰＤＵパケットよりはＡ−ＭＰＤＵサブフレームをタギングすることが有利になる。ＰＰＤＵパケットよりはＡ−ＭＰＤＵサブフレームにタギングすることがタグ情報に対してより多くのオーバーヘッドを利用するが、このようなアプローチは多数の重要度レベルのパケットを管理することにより容易になる。
【００８２】
多様な実施形態によると、パケットをタギングするためにビットパターンがＡ−ＭＰＤＵ又はＰＰＤＵのヘッダに追加される。ビットパターンは、Ｍビットであり、０…０は最高重要度を示し、１…１は最低重要度を示す。一部の実施形態により、値Ｍは予め定義され、Ｍ値はヘッダ情報の一部としてシグナリングされる。一部の実施形態によると、送信機及び受信機は、２Ｍ重要度レベル及びそれぞれのレベルに対して異なる手続を定義する。
【００８３】
ＩＥＥＥ８０２．１１ａｄ又はＩＥＥＥ８０２．１１ａｙを通じた無線ビデオ送信のための保証されたサービス品質のために、本発明の一部の実施形態によるクロス−レイヤイメージ最適化システム及び方法は、それぞれのタギングされた重要度レベルに対する動的重要度レベル認識ＡＭＣを通じてＵＥＰを実現する。異なる重要度レベルは異なるＭＣＳ値で変調されるか、或いはこれらは異なる順方向誤り訂正（ＦＥＣ）値で、又はＦＥＣ値は同一であるが異なるコーディングレートでエンコーディングされる。
【００８４】
図９は、本発明の一実施形態によるピクセルビット及びパケットの再構成の一例を示す図である。関連技術システムにおいて、ＰＨＹは現在チャンネル状況に適切なＭＣＳインデックスを勧告する。しかし、本発明の一部の実施形態によると、クロス−レイヤイメージ最適化システム及び方法は、ビットストリームの大部分に対して勧告されたＭＣＳを適応させる。例えば、システムはより重要なレイヤ又はパケットに対してＭＣＳインデックスを減少させ、少し重要なレイヤ又はパケットに対してＭＣＳインデックスを増加させる。図９は、システムがピクセルでＲＧＢカラーを示すビットのＭＳＢ／ＬＳＢ部分に対して異なるＭＣＳ値を選択する非圧縮ビデオ送信に対する例を示す。４つのＭＳＢビットは、ＭＣＳ−１に伝送され、次の２ビットはＭＣＳに伝送され、最後の２つのＬＳＢビットはＭＣＳ＋１に伝送される。それはまた、同一のＭＣＳインデックスを有するビットが同一のパケット／Ａ−ＭＰＤＵサブフレームにグループ化されるようにパケット／Ａ−ＭＰＤＵサブフレームへのビットの再グループ化を含む。
【００８５】
例えば、圧縮ビデオ送信において、図６及び図８について上述した通り、レイヤード−基盤圧縮が遂行され、ビットが送信の重要度レベルにより再構成された後に、ヘッダ及びベースレイヤ１はＭＣＳ−１に送信され、レイヤ２はＭＣＳに伝送され、最後にレイヤ３はＭＣＳ又はＭＣＳ＋１に伝送される。ヘッダ及びレイヤ１は、そのためにより保護され、殆ど誤りなしに送信される。このような情報ビットはＭＣＳ−１に伝送されるため、必要な帯域幅がＭＣＳに関するチャンネルの支援帯域幅を超える可能性がある。補償のために、レイヤ３の一部が脱落されるか、及び／又はレイヤ３ビットがＭＣＳ＋１に変調される。
【００８６】
図１０は、無線通信標準下で利用可能なヘッダフィールドの一例を示す図である。ＩＥＥＥ８０２．１１ａｄで、ＭＣＳインデックスは２６２，１４３バイトのそれぞれのＰＰＤＵパケットに対してのみシグナリングされる。従って、ＰＰＤＵが重要度レベルにタギングされる場合、本実施形態はそれぞれのパケットに対する勧告されたＭＣＳ又は修正されたＭＣＳインデックスを使用するためにＩＥＥＥ８０２．１１ａｄ手続を利用する。一部の実施形態によると、ＩＥＥＥ８０２．１１ａｄにおけるシグナリングは、ＭＣＳがそれぞれのＡ−ＭＰＤＵサブフレームに対してシグナリングされるように修正される。例えば、それぞれのパケットのヘッダ内の現在予約されたビット又は未使用情報が用いられる。ＩＥＥＥ８０２．１１ａｄ規格により、ヘッダは図１０のフィールドを含む。一例として、ピアツーピア連結で、本実施形態はＭＣＳをシグナリングするために「アドレス４」を使用する。本実施形態は、更に、それぞれのＡ−ＭＰＤＵに対するＭＣＳをシグナリングするためにヘッダに新たなバイトを追加する。
【００８７】
従って、本発明の一部の実施形態によるクロス−レイヤイメージ最適化システム及び方法は、例えば優先順位、遅延公差、及び／又は保護又は信頼性に基づいて異なる重要度カテゴリーでビデオフレームのデータ（例えば、ピクセルデータ、パケットなど）をパーティショニングするように動作する。それぞれのビデオフレームは、多数の重要度レベルで分割され、対応するビットはＡ−ＭＰＤＵサブフレームでパッキングされる。異なるパケット（例えば、Ａ−ＭＰＤＵサブフレーム、ＰＰＤＵサブフレームなど）が重要度レベルによりタギングされ、一部の実施形態により異なるパケットはその重要度の順で受信機に送信される。異なるパケット（例えば、Ａ−ＭＰＤＵサブフレーム）はその重要度レベルにより（例えば、ＰＰＤＵパケットで）グループ化される。重要度レベルを示す値又はタグがパケットのヘッダに追加される。受信機端で、受信機はタグレベルを決定することが可能になり、それによってタギングにより異なる誤りの復元及び／又は隠蔽手続を追加的に可能にする。また、異なる重要度レベルを有するデータは、それぞれのパケットに対して異なる変調及びコーディング方式（ＭＣＳ）値を選択することによって異なるように保護される。対応するＭＣＳ値はタグ以外にもパケットに対するヘッダに挿入される。
【００８８】
従って、本実施形態は、無線クロス−レイヤイメージ最適化のためのＡＭＣをはじめ、無線データ送信のための送信機及び受信機におけるパケットに対する動的パーティショニング及び／又はタギング（例えば、ＩＥＥＥマルチ−ギガビット８０２．１１で）及び重要度認識手続を可能にする。本実施形態は、多数のコンテンツ駆動タグを利用してＡ−ＭＰＤＵ（データ）パケット内のそれぞれの小さいパケットのタギングを可能にする。タグは送信されて受信機にシグナリングされる。異なる手続又はパラメータは、本明細書で説明したクロス−レイヤイメージ最適化メカニズムの多様な様相を統合するためのタグに関連付けられる。また、本実施形態は、ＡＭＣ（タグに対するＭＣＳ適応）のような不均一誤り保護基盤タグを利用する。
【００８９】
多様な実施形態によると、システムは、クロス−レイヤイメージ最適化のための多様なパラメータ及びファクターを連続的にモニタリングし、相応するように調整する。例えば、システムは、受信機からのリターン信号をモニタリングし、環境が変わることによって、例えば後続データ送信のために上述した通り異なるプロファイル、圧縮、又は誤り訂正技術などを選択することによってクロス−レイヤイメージ最適化を相応するように調整する。
【００９０】
図１１は、本発明の一実施形態によるクロス−レイヤイメージ最適化のための方法の多様なオペレーションの一例を示すフローチャートである。しかし、図１１に示したオペレーションの数及び順序は例示したフローチャートに限定されない。例えば、一部の実施形態によると、オペレーションの順序は（別途指示されない限り）修正され、或いは、プロセスは本発明の思想及び範囲を逸脱せずに追加のオペレーション又はより少ないオペレーションを全て含む。例えば、本明細書及び対応する図面から説明された多様な他の特徴及びオペレーションは、プロセスに統合され、或いは、特定のオペレーションは本発明の一部の例示的な実施形態により省略される。
【００９１】
プロセスが始まると、段階１２００で、システム（例えば、無線データ送信システム１００及び／又は送信機１０２）は、データソースからデータ（例えば、非圧縮ビデオデータを含むビデオデータ信号）を受信する。段階１２０２で、例えばチャンネル品質、視覚品質、及び受信機に連結された表示装置のタイプをはじめ、受信機に対するデータ送信に関する多様な情報を含むリターンデータが受信機（例えば、受信機１０６）から受信される。次に、段階１２０４で、システムは表示装置のタイプを識別する。段階１２０６で、レイヤリング及び／又はパーティショニングプロファイルは、例えば表示装置のタイプ、ビデオ視覚品質に対する異なる基準又は識別子（ピーク信号対雑音比（ＰＳＮＲ）を含む）、チャンネル品質、コーデック要件又は選択、ＭＣＳ、及びデータレート要件などを含む一つ以上の予め定義されたパラメータに基づいて選択された後、送信される。
【００９２】
段階１２０８で、レイヤ又はレベル−基盤圧縮が、例えば選択されたレイヤリング／パーティショニングプロファイルによりデータ上で遂行される。その後、段階１２１０で、レイヤ、パーティション、パケット又はデータのビットは、上述した通りその重要度レベルによりグループ又はパケットで再構成される。
【００９３】
段階１２１２で、データはデータのパケット及び／又はデータの重要度レベルを示すようにタギングされる。その後、段階１２１４で、異なるタイプのデータの重要度レベルに基づいて、データを受信機に送信するために不均一誤り保護が遂行される。段階１２１６で、データは、例えばディスプレイパネル上の表示のために受信機に送信される。
【００９４】
本明細書で説明した本発明の実施形態による無線データ送信システム及び／又は任意の他の関連デバイス又はコンポーネントは、任意の適切なハードウェア、ファームウエア（例えば、注文型集積回路）、ソフトウェア、又はソフトウェア、ファームウエア、ハードウェアの適切な組み合わせを利用して具現される。例えば、無線データ送信システムの多様なコンポーネントは、一つの集積回路（ＩＣ）チップ又は別途のＩＣチップ上に形成される。また、表示装置の多様なコンポーネントは、フレキシブル印刷回路フィルム、テープキャリアパッケージ（ＴＣＰ）、印刷回路ボード（ＰＣＢ）上に実現されるか又は表示装置と同一の基板上に形成される。また、無線データ送信システムの多様なコンポーネントは、一つ以上のプロセッサー上で実行され、一つ以上のコンピューティングデバイスで、コンピュータプログラム命令を実行し、本明細書で説明した多様な機能性を遂行するために他のシステムコンポーネントと相互作用するプロセス又はスレッドである。コンピュータプログラム命令は、例えばランダムアクセスメモリ（ＲＡＭ）のような標準メモリデバイスを用いてコンピューティングデバイスで具現されるメモリに格納される。コンピュータプログラム命令は、また、例えばＣＤ−ＲＯＭ、フラッシュドライブなどのような他の非一時的なコンピュータ読み取り可能な記録媒体に格納される。また、当業者は、本発明の実施形態の範囲から逸脱せずに、多様なコンピューティングデバイスの機能性が単一のコンピューティングデバイスに統合若しくは結合されるか、又は特定のコンピューティングデバイスの機能性が一つ以上のコンピューティングデバイスに亘って分散されることを認知しなければならない。
【００９５】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００９６】
１００    無線データ送信システム
１０２    送信機
１０３    入力端子
１０４    データソース
１０６    受信機
１０８    電子装置
１１０    ディスプレイパネル
１１２、１１４    無線ラジオ
１１６、１２２    アプリケーション（ＡＰＰ）レイヤ
１１８、１２４    媒体アクセス制御（ＭＡＣ）レイヤ
１２０、１２６、３００、３０２    物理（ＰＨＹ）レイヤ
１３０    直通チャンネル
１３２    リターンチャンネル
１３４    ＣＬＩＯモジュール
【図１】
2018056993.tif 000003
【図２】
2018056993.tif 000004
【図３】
2018056993.tif 000005
【図４】
2018056993.tif 000006
【図５】
2018056993.tif 000007
【図６】
2018056993.tif 000008
【図７】
2018056993.tif 000009
【図８】
2018056993.tif 000010
【図９】
2018056993.tif 000011
【図１０】
2018056993.tif 000012
【図１１】
2018056993.tif 000013